(57)【要約】      （修正有）【課題】デジタルテレビ信号またはデジタルラジオ信号の受信機能を有し、メモリの交換可能な携帯型記憶装置を提供する。【解決手段】デジタルテレビ信号またはデジタルラジオ信号の受信機能を有し、メモリの交換可能な携帯型記憶装置は、プラグ１１およびスロット１４を含む携帯型記憶装置本体１０と、スロット１４内に挿入される上、交換可能なメモリ２０と、携帯型記憶装置本体１０上に配置され、伸縮可能なアンテナ３２を含むデジタル信号受信器３０と、携帯型記憶装置本体１０内に配置され、アンテナ３２と電気的に接続される回路モジュールとを含む。【選択図】図２
0003160980.tif 000002
【実用新案登録請求の範囲】
【請求項１】
プラグおよびスロットを含む携帯型記憶装置本体と、
前記スロット内に挿入が可能であり、交換可能なメモリと、
前記携帯型記憶装置本体上に配置され、伸縮可能なアンテナを含むデジタル信号受信器と、
前記携帯型記憶装置本体内に配置され、前記アンテナと電気的に接続される回路モジュールと、を含むことを特徴とするデジタルテレビ信号またはデジタルラジオ信号の受信機能を有すると共に、メモリの交換可能な携帯型記憶装置。
【請求項２】
前記携帯型記憶装置本体には、凹溝がさらに設けられ、前記凹溝内には、前記デジタル信号受信器が枢着可能に接続されることを特徴とする請求項１記載のデジタルテレビ信号またはデジタルラジオ信号の受信機能を有し、メモリを交換可能な携帯型記憶装置。
【請求項３】
前記凹溝の両側には、位置規制凹部が対向するように設けられ、前記デジタル信号受信器の前記位置規制凹部に対応する位置には、位置規制突部がそれぞれ設けられ、前記位置規制突部は、前記位置規制凹部により位置規制されることを特徴とする請求項２記載のデジタルテレビ信号またはデジタルラジオ信号の受信機能を有し、メモリを交換可能な携帯型記憶装置。
【請求項４】
前記スロットは、前記携帯型記憶装置本体の凹溝の底面上に配置されることを特徴とする請求項２記載のデジタルテレビ信号またはデジタルラジオ信号の受信機能を有し、メモリを交換可能な携帯型記憶装置。
【請求項５】
前記携帯型記憶装置本体の凹溝の底面上には、ストッパ部が設けられ、前記ストッパ部は、前記スロットから間隔を空けて配置され、前記ストッパ部と前記スロットとの間には、移動空間を有し、前記移動空間の位置は、前記ストッパ部よりも若干低いことを特徴とする請求項４記載のデジタルテレビ信号またはデジタルラジオ信号の受信機能を有し、メモリを交換可能な携帯型記憶装置。
【請求項６】
前記回路モジュールは、集線装置、第１の変換伝達ユニット、変調ユニットおよび無線周波ユニットをさらに含み、前記集線装置は、一方の端部が前記プラグと接続され、他方の端部が前記第１の変換伝達ユニットと接続され、前記第１の変換伝達ユニットは、前記変調ユニットと接続され、前記変調ユニットは、前記無線周波ユニットとさらに接続され、前記無線周波ユニットは、前記デジタル信号受信器のアンテナと接続されることを特徴とする請求項１記載のデジタルテレビ信号またはデジタルラジオ信号の受信機能を有し、メモリを交換可能な携帯型記憶装置。
【請求項７】
前記プラグと前記メモリスロットとの間には、集線装置および第２の変換伝達ユニットがさらに接続され、前記集線装置は、一方の端部が前記プラグと接続され、他方の端部が前記第２の変換伝達ユニットと接続され、前記第２の変換伝達ユニットは、前記メモリスロットとさらに接続されることを特徴とする請求項１記載のデジタルテレビ信号またはデジタルラジオ信号の受信機能を有し、メモリを交換可能な携帯型記憶装置。
【請求項８】
前記プラグは、ＵＳＢインターフェースであることを特徴とする請求項１記載のデジタルテレビ信号またはデジタルラジオ信号の受信機能を有し、メモリを交換可能な携帯型記憶装置。
【考案の詳細な説明】
【技術分野】
【０００１】
本考案は、デジタルテレビ信号またはデジタルラジオ信号の受信機能を有し、メモリの交換可能な携帯型記憶装置に関する。
【背景技術】
【０００２】
世界各国において、デジタルテレビチャンネルが次々と開設され、デジタル放送の発展が重要なプロジェクトの１つに位置づけられている。また、コンピュータ、プラズマディスプレイパネル（ＰＤＰ）、デジタルフォトフレーム、電子書籍などの携帯可能な製品が次第に普及している上、デジタルテレビ放送またはデジタルラジオ放送を視聴するとき、テレビ装置またはラジオ装置を利用する以外に、コンピュータを利用することが可能となっているため、利便性が益々高まっている。一般に、パーソナルコンピュータまたはノートパソコンに使用されるデジタルテレビまたはデジタルラジオの受信装置は、デジタルセットトップボックスおよびデジタルビデオカードなどを含む。
【０００３】
しかし、上述のデジタルセットトップボックスおよびデジタルビデオカードは、何れも、デジタル信号を受信する機能のみを有し、メモリを自由に交換する機能は有するものではない。また、ロードされるファイル容量の増加速度が速いため、使用操作するとき、ユーザは、デジタルビデオカードおよび各種の携帯型記憶装置をそれぞれ携帯しなければ上述の機能を達成することができなかった。
【０００４】
従って、操作が不便である上、プラスチック類および電子素子などのゴミの量が増大し、資源の浪費および環境汚染を招くため、改善が求められていた。
【考案の開示】
【考案が解決しようとする課題】
【０００５】
本考案の主な課題は、デジタルテレビ信号またはデジタルラジオ信号の受信機能を有し、メモリが交換可能な携帯型記憶装置を提供することにある。
【課題を解決するための手段】
【０００６】
前記課題を解決するために、本考案によれば、プラグおよびスロットを含む携帯型記憶装置本体と、前記スロット内に挿入が可能であり、交換可能なメモリと、前記携帯型記憶装置本体上に配置され、伸縮可能なアンテナを含むデジタル信号受信器と、前記携帯型記憶装置本体内に配置され、前記アンテナと電気的に接続される回路モジュールと、を含むことを特徴とするデジタルテレビ信号またはデジタルラジオ信号の受信機能を有し、メモリの交換可能な携帯型記憶装置が提供される。
【０００７】
前記の本考案において、前記携帯型記憶装置本体には、凹溝がさらに設けられ、前記凹溝内には、前記デジタル信号受信器が枢動可能に接続されることが好ましい。
【０００８】
前記の本考案において、前記凹溝の両側には、位置規制凹部が対向するように設けられ、前記デジタル信号受信器の前記位置規制凹部に対応する位置には、位置規制突部がそれぞれ設けられ、前記位置規制突部は、前記位置規制凹部により位置規制されることが好ましい。
【０００９】
前記の本考案において、前記スロットは、前記携帯型記憶装置本体の凹溝の底面上に配置されることが好ましい。
【００１０】
前記の本考案において、前記携帯型記憶装置本体の凹溝の底面上には、ストッパ部が設けられ、前記ストッパ部は、前記スロットから間隔を空けて配置され、前記ストッパ部と前記スロットとの間には、移動空間を有し、前記移動空間の位置は、前記ストッパ部よりも若干低いことが好ましい。
【００１１】
前記の本考案において、前記回路モジュールは、集線装置、第１の変換伝達ユニット、変調ユニットおよび無線周波ユニットをさらに含み、前記集線装置は、一方の端部が前記プラグと接続され、他方の端部が前記第１の変換伝達ユニットと接続され、前記第１の変換伝達ユニットは、前記変調ユニットと接続され、前記変調ユニットは、前記無線周波ユニットとさらに接続され、前記無線周波ユニットは、前記デジタル信号受信器のアンテナと接続されることが好ましい。
【００１２】
前記の本考案において、前記プラグと前記メモリスロットとの間には、集線装置および第２の変換伝達ユニットがさらに接続され、前記集線装置は、一方の端部が前記プラグと接続され、他方の端部が前記第２の変換伝達ユニットと接続され、前記第２の変換伝達ユニットは、前記メモリスロットとさらに接続されることが好ましい。
【００１３】
前記の本考案において、前記プラグは、ＵＳＢインターフェースであることが好ましい。
【考案の効果】
【００１４】
本考案により、ユーザーは、デジタルテレビ放送またはデジタルラジオ放送を簡単に視聴することができると共に、メモリスロットを通じ、メモリの容量を変更することができるため、データアクセスの融通性を高め、多くの携帯型記憶装置を携帯しなければならないという煩わしさから解放される、という著しく顕著な効果を奏する。
【図面の簡単な説明】
【００１５】
【図１】本考案の一実施形態によるデジタルテレビ信号またはデジタルラジオ信号の受信機能を有すると共に、メモリの交換可能な携帯型記憶装置を示す斜視図である。
【図２】本考案の一実施形態によるデジタルテレビ信号またはデジタルラジオ信号の受信機能を有し、メモリの交換可能な携帯型記憶装置を示す分解斜視図である。
【図３】本考案の一実施形態によるデジタルテレビ信号またはデジタルラジオ信号の受信機能を有し、メモリの交換可能な携帯型記憶装置の回路を示すブロック図である。
【図４】本考案の一実施形態によるデジタルテレビ信号またはデジタルラジオ信号の受信機能を有し、メモリの交換可能な携帯型記憶装置の使用状態を示す斜視図である。
【考案を実施するための形態】
【００１６】
以下、本考案の実施形態について図面に基づいて説明する。なお、これによって本考案が限定されるものではない。
【００１７】
先ず、図１および図２を参照する。図１は、本考案の一実施形態によるデジタルテレビ信号またはデジタルラジオ信号の受信機能を有し、メモリの交換可能な携帯型記憶装置を示す斜視図である。
【００１８】
図２は、本考案の一実施形態によるデジタルテレビ信号またはデジタルラジオ信号の受信機能を有し、メモリの交換可能な携帯型記憶装置を示す分解斜視図である。本実施形態によるデジタルテレビ信号またはデジタルラジオ信号の受信機能を有し、メモリの交換可能な携帯型記憶装置は、携帯型記憶装置本体１０、メモリ２０、デジタル信号受信器３０および回路モジュール４０を含む。
【００１９】
携帯型記憶装置本体１０は、略矩形体である。また、短手方向の一方の側面上には、プラグ１１が配置される。プラグ１１は、ＵＳＢ（Ｕｎｉｖｅｒｓａｌ  Ｓｅｒｉａｌ  Ｂｕｓ）インターフェースである。携帯型記憶装置本体１０の上面には、長手方向に沿って凹溝１２が設けられる。凹溝１２は、プラグ１１と反対の方向に延伸するように開設される。携帯型記憶装置本体１０の短手方向の他方の側面には、開口１２１が形成される。また、凹溝１２の２つの側壁の開口１２１の端部には、短手方向に互いに対向する位置規制凹部１３が設けられる。また、凹溝１２の底面には、メモリスロット１４とストッパ部１５とが互いに間隔を空けて設けられる。メモリスロット１４とストッパ部１５との間には、ストッパ部１５より僅かに位置が低い移動空間１６を有する。
【００２０】
メモリ２０は、先ず、移動空間１６中に配置し、次に、変移させることにより、メモリスロット１４内に挿入することができる。また、移動空間１６は、ストッパ部１５よりも低い位置にあるため、メモリ２０は、移動空間１６内に位置規制される。以上の構造により、メモリ２０を任意に交換することができる。本実施形態において、メモリ２０は、ＳＤカードまたは市販のメモリカードとすることができる。
【００２１】
デジタル信号受信器３０は、携帯型記憶装置本体１０の凹溝１２内に枢動可能に接続される。また、デジタル信号受信器３０の位置規制凹部１３に対応する位置には、２つの位置規制突部３１が設けられる。位置規制突部３１は、位置規制凹部１３に位置規制される。これにより、デジタル信号受信器３０は、携帯型記憶装置本体１０の凹溝１２上において、位置規制突部３１を軸心として回動させることができる。また、デジタル信号受信器３０のプラグ１１に対応する一方の側部には、伸縮可能なアンテナ３２が接続される。
【００２２】
図３を合わせて参照する。図３は、本考案の一実施形態によるデジタルテレビ信号またはデジタルラジオ信号の受信機能を有し、メモリの交換可能な携帯型記憶装置の回路を示すブロック図である。回路モジュール４０は、携帯型記憶装置本体１０内に配置される上、アンテナ３２と電気的に接続される。回路モジュール４０は、集線装置（ｈｕｂ）４１、第１の変換伝達ユニット４２、変調ユニット４３および無線周波ユニット４４を含む。集線装置４１は、一方の端部がプラグ１１と接続され、他方の端部が第１の変換伝達ユニット４２と接続される。また、第１の変換伝達ユニット４２は、変調ユニット４３と接続される。また、変調ユニット４３は、無線周波ユニット４４と接続される。また、無線周波ユニット４４は、デジタル信号受信器３０のアンテナ３２と電気的に接続される。これにより、アンテナ３２を通じ、デジタル信号を受信することができる上、回路モジュール４０により、変調伝送することができる。本実施形態において、集線装置４１は、さらに、第２の変換伝達ユニット１７を通じ、メモリスロット１４と接続される。
【００２３】
本考案に係る携帯型記憶装置の構造の特徴、運用される技術手段および達成される効果をさらに詳細に説明するため、本考案に係る携帯型記憶装置の使用状態を以下に示す。
【００２４】
図４を合わせて参照する。図４に示すように、本考案の一実施形態によるデジタルテレビ信号またはデジタルラジオ信号の受信機能を有し、メモリの交換可能な携帯型記憶装置を操作してデジタルテレビ放送またはデジタルラジオ放送を視聴したいとき、先ず、携帯型記憶装置本体１０のプラグ１１を電子読取ユニット１００に接続する。ここで、電子読取ユニット１００は、コンピュータ、メディア再生装置、デジタルフォトフレーム、電子書籍などとすることができる。次に、デジタル信号受信器３０を回動させて携帯型記憶装置本体１０上に直立させ、アンテナ３２を引き出して位置決めする。これにより、アンテナ３２を通じ、デジタル信号が受信される。受信した信号は、無線周波ユニット４４および変調ユニット４３を通じて変調され、集線装置４１から電子読取ユニット１００内に伝送される。これにより、電子読取ユニット１００上でデジタルテレビ放送およびデジタルラジオ放送を視聴することができる。また、ユーザーは、メモリスロット１４を通じ、メモリ２０の容量を変更することができるため、データアクセスの融通性を高めるという目的を達成することができる上、多くの携帯型記憶装置を携帯しなければならないという煩わしさから解放される。
【００２５】
当該分野の技術を熟知するものが理解できるように、本考案の好適な実施形態を前述の通り開示したが、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【符号の説明】
【００２６】
１０  携帯型記憶装置本体
１１  プラグ
１２  凹溝
１３  位置規制凹部
１４  メモリスロット
１５  ストッパ部
１６  移動空間
１７  第２変換伝達ユニット
２０  メモリ
３０  デジタル信号受信器
３１  位置規制突部
３２  アンテナ
４０  回路モジュール
４１  集線装置
４２  第１変換伝達ユニット
４３  変調ユニット
４４  無線周波ユニット
１００  電子読取ユニット
１２１  開口
【図１】
0003160980.tif 000003
【図２】
0003160980.tif 000004
【図３】
0003160980.tif 000005
【図４】
0003160980.tif 000006